(57)【要約】【課題】  燃焼炉の炉内温度測定用の温度計を交換する際に、炉内ガスの吹き出し、漏洩を防止し、高温ガスによる火傷やガス中毒を防ぐ。【解決手段】  温度計の温度検出プローブ１aと温度検出プローブ１aを燃焼炉３内に挿入するためのガイド管４との温度計接続部２を囲んで、取り外し可能な分割カバー１２、１３からなる温度計交換補助装置の本体１１を取り付け、この本体１１の内部に、気体送風管３１の接続口から燃焼炉３内ガスのよりも高い圧力の気体を送る。【選択図】  図１
2005249640.tif 000002
【特許請求の範囲】
【請求項１】
燃焼炉の炉内温度測定用の温度計を交換する際に使用する温度計交換補助装置であって、前記温度計の温度検出プローブと前記温度検出プローブを前記燃焼炉内挿入するためのガイド管との温度計接続部を囲んで、取り外し可能なカバーを設け、前記カバーの内部に前記燃焼炉の炉内ガスよりも高い圧力の気体を送るための気体送風管の接続口を、前記カバーに設けたことを特徴とする温度計交換補助装置。
【請求項２】
燃焼炉の炉内温度測定用の温度計を交換する際に使用する温度計交換補助装置であって、前記温度計交換補助装置の本体は、２つに分割された中空状のカバーからなり、夫々の分割カバーは胴部と温度計側側壁、炉側側壁とを有し、前記胴部の夫々の一方の端縁部は開閉可能に枢着されており、前記胴部の夫々の他方の端縁部は、前記分割カバーを閉じた状態で互いに固定可能であり、前記温度計側側壁には、夫々半円形凹部が設けられ、該半円形凹部は、前記分割カバーを閉じた状態で温度計を交換するための温度計交換口となり、前記炉側側壁には、夫々半円形凹部が設けられ、該半円形凹部は、前記分割カバーを閉じた状態で温度計の温度検出プローブを前記燃焼炉内に挿入するためのガイド管が嵌まる円形口となり、前記分割カバーの一方に前記燃焼炉の炉内ガスの圧力よりも高い気体を送るための気体送風管の接続口を設けたことを特徴とする温度計交換補助装置。
【発明の詳細な説明】
【技術分野】
【０００１】
本発明は、燃焼炉の炉内温度測定用の温度計を安全に交換するための補助装置に関する。
【背景技術】
【０００２】
従来、燃焼炉において、炉内温度測定用で、温度計の温度検出プローブの先端が炉内に露出している温度計は、一般に図４のように設置されている。図４において、温度検出プローブ１aと温度測定表示部１bとからなる温度計１は、温度計接続部２を介して、温度検出プローブ１aが炉内に挿入されている。
【０００３】
温度計接続部２は、温度検出プローブ１aを炉内に挿入するためのガイド管４が取り付けられたフランジ５及び温度検出プローブ１aを着脱可能に固定するためのコンプレッションフィッティング６が設けられたフランジ７を備えていて、ボルトナット８によりフランジ５、７を連結するようになっている。
【０００４】
そして、温度計１を交換するには、温度検出プローブ１aを固定しているコンプレッションフィッティング６を緩めた後、作業員が温度計１をゆっくり引き抜く。それから、新しい温度計をコンプレッションフィッティング６に挿入、締め付けて交換を行っていた。
【０００５】
上記の温度計１の交換作業は、燃焼炉３内の圧力が大気圧より高い場合には、燃焼炉３内のガスが吹き出す危険がある。炉内ガスは高温酸欠雰囲気なので、火傷やガス中毒の危険性が高い。
【０００６】
このため従来、温度計１の交換作業は、防熱手袋や防熱服等の保護具を用い、かつ工業用扇風機等で換気することにより、熱対策及びガス対策を行っていた。
【発明の開示】
【発明が解決しようとする課題】
【０００７】
然しながら、保護具による熱対策では、保護具の隙間からのガス侵入を完全には防止できず、火傷を負う危険がある。また、扇風機等によって換気を確保するガス対策では、周囲が密閉された環境では十分な効果が得られず、高温ガスを風下に拡散させるため、作業時の立ち位置によっては火傷を負う危険があった。
【０００８】
本発明は、燃焼炉の炉内温度測定用の温度計を交換する際に、簡単に取り付け、取り外しができ、炉内ガスの吹き出し、漏洩を防止でき、高温ガスによる火傷やガス中毒を防ぐことができる装置を提示することを目的とする。
【課題を解決するための手段】
【０００９】
本発明の温度計交換補助装置は、燃焼炉の炉内温度測定用の温度計を交換する際に使用する温度計交換補助装置であって、前記温度計の温度検出プローブと前記温度検出プローブを前記燃焼炉内挿入するためのガイド管との温度計接続部を囲んで、取り外し可能なカバーを設け、前記カバーの内部に前記燃焼炉の炉内ガスよりも高い圧力の気体を送るための気体送風管の接続口を前記カバーに設けたことを特徴とする。
【００１０】
また、本発明の温度計交換補助装置は、燃焼炉の炉内温度測定用の温度計を交換する際に使用する温度計交換補助装置であって、前記温度計交換補助装置の本体は、２つに分割された中空状のカバーからなり、夫々の分割カバーは胴部と温度計側側壁、炉側側壁とを有し、前記胴部の夫々の一方の端縁部は開閉可能に枢着されており、前記胴部の夫々の他方の端縁部は、前記分割カバーを閉じた状態で互いに固定可能であり、前記温度計側側壁には、夫々半円形凹部が設けられ、該半円形凹部は、前記分割カバーを閉じた状態で温度計を交換するための温度計交換口となり、前記炉側側壁には、夫々半円形凹部が設けられ、該半円形凹部は、前記分割カバーを閉じた状態で温度計の温度検出プローブを前記燃焼炉内に挿入するためのガイド管が嵌まる円形口となり、前記分割カバーの一方に前記燃焼炉の炉内ガスの圧力よりも高い気体を送るための気体送風管の接続口を設けたことを特徴とする。
【発明の効果】
【００１１】
以上説明したように、本発明の装置により、燃焼炉の炉内温度測定用の温度計を交換する際に、炉内ガスの漏洩、吹出しを防止することができ、高温の炉内ガスによる火傷、ガス中毒の危険を無くすことができる。これにより、温度計交換作業の安全性を達成することができる。
【発明を実施するための最良の形態】
【００１２】
本発明の実施の形態に係る温度計交換補助装置を図面に基づき詳細に説明する。
【００１３】
図１は本発明の温度計交換補助装置の一部断面側面図、図２は本発明の温度計交換補助装置の正面図、図３は本発明の温度計交換補助装置の動作を説明する正面図である。
【００１４】
図１〜３において、温度計交換補助装置の本体１１は温度計１の温度検出プローブ１aの軸方向に２つに分割された中空円筒体のカバーであり、この分割カバー１２、１３は夫々、半円筒体の胴部１４、１５と温度計側側壁１６、１７と燃焼炉側側壁１８、１９とを有する。
【００１５】
胴部１４、１５の夫々の一方の端縁部２０、２１には、蝶番２２が取り付けられており、胴部１４、１５が開閉可能に枢着されている。
【００１６】
また、胴部１４、１５の夫々の他方の端縁部２３、２４には、錠止具２５が取り付けられており、胴部１４、１５を閉じた状態で胴部１４、１５の端縁部２３、２４の対向する夫々の端面を締付け固定することができる。胴部１４、１５の端縁部２３、２４の対向する夫々の端面には、ガスのシール材が取付けてある。シール材は熱の影響を考慮して断熱材を用いるが、温度条件により、他の素材を用いてもよい。なお、錠止具２５としては、パッチン錠を好適に使用することができる。
【００１７】
温度計側側壁１６、１７には夫々の中央部に温度計を交換するための半円形凹部２６、２７が設けてあり、分割カバー１２、１３を閉じた状態で温度計交換口となり、温度検出プローブ１aを引き抜き、交換できるようにしてある。半円形凹部２６、２７は炉内で熱せられた温度検出プローブ１aが接触するため、断熱材を用いるのが好ましく、また、温度検出プローブ１aの太さに応じて、この部分を交換可能な構造にするのが好ましい。
【００１８】
炉側側壁１８、１９には夫々の中央部に半円形凹部２８、２９が設けてあり、分割カバー１２、１３を閉じた状態でガイド管４が嵌まる円形口となる。
【００１９】
次に、本発明の装置では、本体１１内を加圧して、燃焼炉３内からのガスの吹き出し、漏洩を抑えるようにしてある。図１〜３において、３０は分割カバー１４に設けられた気体送風管３１の接続口であり、気体送風管３１の他端はコンプレッサー（図示せず）に連結している。気体送風管３１には圧力計減圧弁３２が取付けてある。
【００２０】
本発明の実施の形態に係る温度計交換補助装置は、以上のように構成されているから、温度計１を交換するには先ず、分割カバー１２、１３を開いて、半円形凹部２６、２７及び半円形凹部２８、２９を夫々温度計プローブ１a及びガイド管４にセットした後、分割カバー１２、１３を閉じて、錠止具２５で分割カバー１２、１３の胴部１４、１５の端縁部２３、２４の対向する夫々の端面を締付け固定する。
【００２１】
このようにして、温度計交換補助装置の本体１１は温度計接続部２を囲んで取付けられる。
【００２２】
次に、分割カバー１２に設けられた、気体送風管３１の接続口３０から、コンプレッサーにより、高圧の空気もしくは他の気体を注入する。この際、別途測定した燃焼炉３内の圧力をもとに、本体１１内の圧力が燃焼炉３内の圧力より高い適切な圧力に、圧力計減圧弁３２で調節する。
【００２３】
次に、温度計１の交換作業を行うのであるが、先ず、温度検出プローブ１aを固定しているコンプレッションフィッティング６を緩め、温度検出プローブ１aを引き抜く。この際、本体１１内が燃焼炉３内より高圧となっているから、温度検出プローブ１aの引抜きの途中で、コンプレッションフィッティング６からの炉内ガスの漏洩を防ぐことができ、また、温度検出プローブ１aを引き抜いた後でも、コンプレッションフィッティング６からの炉内ガスの吹き出しを防ぐことができる。
【００２４】
本発明者らの実施結果では、従来は作業領域付近では、炉内ガスが漏洩してCO濃度が約１０ppm程度になる場合があったが、本発明の装置を用いることにより、炉内ガスの漏洩はなく、作業領域でのCO濃度は０ppmであった。
【００２５】
以上、温度計１を引き抜く場合について説明したが、新しい温度計を取付ける場合は、新しい温度計の温度検出プローブを装置本体の温度計交換口からコンプレッションフィッティング６に挿入し、コンプレッションフィッティング６を締めて固定すればよい。しかる後に、錠止具２５を開放して、分割カバー１２、１３を開いて、本体１１を取り外し、温度計１の交換作業が完了する。
【００２６】
なお、以上の説明は、温度計接続部２はフランジとコンプレッションフィッティングを併用しているものを例に説明したが、コンプレッションフィッティングのみを使用する場合でも本発明を適用できる。
【図面の簡単な説明】
【００２７】
【図１】本発明の実施の形態における温度計交換補助装置の一部断面側面図である。
【図２】本発明の実施の形態における温度計交換補助装置の正面図である。
【図３】本発明の実施の形態における温度計交換補助装置の使用を説明する正面図である。
【図４】従来の温度計交換補助装置の側面図である。
【符号の説明】
【００２８】
１  温度計
１a  温度検出プローブ
１b  温度測定表示部
２  温度計接続部
３  燃焼炉
４  ガイド管
５  フランジ
６  コンプレッションフィッティング
７  フランジ
８  ボルトナット
１１  温度計交換補助装置の本体
１２、１３  分割カバー
１４、１５  胴部
１６、１７  温度計側側壁
１８、１９  燃焼炉側側壁
２０、２１  端縁部
２２  蝶番
２３、２４  端縁部
２５  錠止具
２６、２７，２８，２９  半円形凹部
３０  接続口
３１  気体送風管
３２  圧力計付減圧弁
【図１】
2005249640.tif 000003
【図２】
2005249640.tif 000004
【図３】
2005249640.tif 000005
【図４】
2005249640.tif 000006